(57)【特許請求の範囲】
【請求項１】
間接活線工法による高圧引下線縁線切断・接続作業に使用するための高圧引下線縁線支持具（１０）であって、
前記高圧引下線縁線切断・接続作業時に切断箇所を挟んだ両側で高圧引下線縁線（２）を把持するための第１および第２の縁線把持手段（１１1，１１2；２１1；３１1）と、
前記高圧引下線縁線切断・接続作業時に共用操作棒（５）を取り付けて該共用操作棒の操作により前記第１および第２の縁線把持手段に前記高圧引下線縁線を把持させるための共用操作棒取付手段（１３）と、
左部および右部が中央部の両端から上方に向かって所定の角度でそれぞれ拡開された１本の棒状の連結手段（１２）とを具備し、
前記共用操作棒取付手段が、前記連結手段の中央部に固定されており、
前記第１および第２の縁線把持手段が、前記共用操作棒取付手段よりも上方に位置するように、前記連結手段の左部および右部の上端面にそれぞれ固定されている、
ことを特徴とする、高圧引下線縁線支持具。
【請求項２】
前記第１および第２の縁線把持手段が、第１および第２の縁線把持部であり、
前記連結手段が、前記第１および第２の縁線把持部が左右上端面にそれぞれ固定された、かつ、中央部が直線状とされたＶ字状の形状を有する連結棒（１２）であり、
前記共用操作棒（５）が、前記連結棒の中央部に固定された、かつ、前記共用操作棒の上端部を取り付けるための操作棒取付部（１３）である、
ことを特徴とする、請求項１記載の高圧引下線縁線支持具。
【請求項３】
前記第１および第２の縁線把持部が、
前記高圧引下線縁線を挿入するための開口部が形成された円筒状の第１および第２の本体（１１ａ1，１１ａ2；２１ａ1）と、
該第１および第２の本体の前記開口部の上端側の端部に形成されたスライド孔に沿ってスライド可能にそれぞれ取り付けられた円弧板状の第１および第２のロック蓋（１１ｂ1，１１ｂ2；２１ｂ1）と、
該第１および第２のロック蓋の上面にそれぞれ突設された第１および第２のつまみ（１１ｃ1，１１ｃ2；２１ｃ1）とを備え、
前記第１および第２の本体の前記開口部の上端側の端部の上面に、直線状の切欠きが該第１および第２の本体の周方向に沿ってそれぞれ形成されている、
ことを特徴とする、請求項２記載の高圧引下線縁線支持具。
【請求項４】
前記第１および第２の縁線把持部の前記開口部が、前記高圧引下線縁線を手前斜め下または手前横から挿入するように形成されていることを特徴とする、請求項３記載の高圧引下線縁線支持具。
【請求項５】
前記連結棒が、
中央棒部（１２Ｃ）と、
該中央棒部の両端から上方に向かって所定の角度でそれぞれ拡開された左および右棒部（１２Ｌ，１２Ｒ）とを備え、
前記第１および第２の縁線把持部の前記第１および第２の本体の下面が、前記連結棒の前記左および右棒部の上端面にそれぞれ固定されており、
前記操作棒取付部の上面が、前記連結棒の前記中央棒部に固定されている、
ことを特徴とする、請求項２乃至４いずれかに記載の高圧引下線縁線支持具。
【請求項６】
前記共用操作棒が、
棒部（５ａ）と、
該棒部の上端に取り付けられた挿入部（５ｂ）と、
該の挿入部の外周面に突設された突起（５ｃ）と、
を備えることを特徴とする、請求項１乃至５いずれかに記載の高圧引下線縁線支持具。
【請求項７】
前記共用操作棒の前記挿入部を挿入するための挿入穴が、前記操作棒取付部に形成されており、
前記共用操作棒の前記突起を引っ掛けて該共用操作棒を前記操作棒取付部に取り付けるためのＴ字状の切欠き（１３ａ）が、該操作棒取付部の周面に形成されている、
ことを特徴とする、請求項６記載の高圧引下線縁線支持具。
【発明の詳細な説明】
【技術分野】
【０００１】
本発明は、間接活線工法による高圧引下線縁線切断・接続作業に使用するのに好適な高圧引下線縁線支持具に関する。
【背景技術】
【０００２】
電力会社では、電柱に取り付けられた変圧器４（図７参照）の取替作業などの停電作業を行う場合は、間接活線工法による高圧引下線縁線切断・接続作業を２人の作業者によって以下の作業手順に従って行っている。
高所作業車が使用できる場合には、２人の作業者がバケットに乗り、１人の作業員が高圧引下線縁線２（高圧配電線１から変圧器４に至る高圧引下線の高圧配電線１から上部支持碍子３までの高圧引下線上部縁線）をホットスティックで把持して支え、他の１人の作業員が間接活線用カッター（ＰＤカッター）で高圧引下線縁線２を切断する。
その後、停電作業が終了すると、１人の作業員が切断された高圧引下線縁線２をホットスティックで把持して支えて、他の１人の作業員が、切断された高圧引下線縁線２の先端部の皮剥ぎをし、切断された高圧引下線縁線２のスリーブによる接続をしたのちに、高圧引下線縁線２の接続箇所のカバー取付を行っている。
【０００３】
また、高所作業車が使用できない場所では、作業台などを使用して、２人の作業者が両側から高圧引下線縁線２にアプローチしたのち、上記の作業手順に従って高圧引下線縁線切断・接続作業を行っている。
【０００４】
なお、本出願人は、下記の特許文献１において、円筒状の絶縁棒と、絶縁棒の一方の端部に取り付けられたかつ高圧配電線１を把持するための高圧配電線把持部と、絶縁棒の他方の端部に取り付けられたかつ高圧引下線上部縁線を把持するための縁線把持部とを具備した高圧引下線上部縁線支持具を提案している。
【先行技術文献】
【特許文献】
【０００５】
【特許文献１】特開２０１１−１０５２７号公報
【発明の概要】
【発明が解決しようとする課題】
【０００６】
しかしながら、高圧引下線縁線２は直径３．２ｍｍと細く被覆を含めても直径約１ｃｍにも満たず風の影響などで揺れたりすることから、空中に不安定な状態にある高圧引下線縁線２を安定させるために「高圧引下線縁線２を支える」という作業を必ず行う必要があるので、上述したように高圧引下線縁線切断・接続作業には２人の作業者が必要になるという問題があった。
【０００７】
また、１人の作業者が高圧引下線縁線２をホットスティックで把持して支えたとしても、揺れ動く高所作業車を足場として使用するときには、作業者の経験による能力の違いによって作業時間が異なるために、お客さまと約束した時間内に停電作業を終えることができない事態が生じるという問題があった。
【０００８】
さらに、充電した高圧引下線縁線２が風に揺られて他物に接触すると、事故停電を発生させたり作業者が感電したりする場合があるという問題があった。
【０００９】
本発明の目的は、経験によらずかつ１人の作業者でも高圧引下線縁線切断・接続作業を確実に行うことができる高圧引下線縁線支持具を提供することにある。
【課題を解決するための手段】
【００１０】
本発明の高圧引下線縁線支持具は、間接活線工法による高圧引下線縁線切断・接続作業に使用するための高圧引下線縁線支持具（１０）であって、前記高圧引下線縁線切断・接続作業時に切断箇所を挟んだ両側で高圧引下線縁線（２）を把持するための第１および第２の縁線把持手段（１１1，１１2；２１1；３１1）と、前記高圧引下線縁線切断・接続作業時に共用操作棒（５）を取り付けて該共用操作棒の操作により前記第１および第２の縁線把持手段に前記高圧引下線縁線を把持させるための共用操作棒取付手段（１３）と、左部および右部が中央部の両端から上方に向かって所定の角度でそれぞれ拡開された１本の棒状の連結手段（１２）とを具備し、前記共用操作棒取付手段が、前記連結手段の中央部に固定されており、前記第１および第２の縁線把持手段が、前記共用操作棒取付手段よりも上方に位置するように、前記連結手段の左部および右部の上端面にそれぞれ固定されていることを特徴とする。
ここで、前記第１および第２の縁線把持手段が、第１および第２の縁線把持部であり、前記連結手段が、前記第１および第２の縁線把持部が左右上端面にそれぞれ固定された、かつ、中央部が直線状とされたＶ字状の形状を有する連結棒（１２）であり、前記共用操作棒（５）が、前記連結棒の中央部に固定された、かつ、前記共用操作棒の上端部を取り付けるための操作棒取付部（１３）であってもよい。
前記第１および第２の縁線把持部が、前記高圧引下線縁線を挿入するための開口部が形成された円筒状の第１および第２の本体（１１ａ1，１１ａ2；２１ａ1）と、該第１および第２の本体の前記開口部の上端側の端部に形成されたスライド孔に沿ってスライド可能にそれぞれ取り付けられた円弧板状の第１および第２のロック蓋（１１ｂ1，１１ｂ2；２１ｂ1）と、該第１および第２のロック蓋の上面にそれぞれ突設された第１および第２のつまみ（１１ｃ1，１１ｃ2；２１ｃ1）とを備え、前記第１および第２の本体の前記開口部の上端側の端部の上面に、直線状の切欠きが該第１および第２の本体の周方向に沿ってそれぞれ形成されていてもよい。
前記第１および第２の縁線把持部の前記開口部が、前記高圧引下線縁線を手前斜め下または手前横から挿入するように形成されていてもよい。
前記連結棒が、中央棒部（１２Ｃ）と、該中央棒部の両端から上方に向かって所定の角度でそれぞれ拡開された左および右棒部（１２Ｌ，１２Ｒ）とを備え、前記第１および第２の縁線把持部の前記第１および第２の本体の下面が、前記連結棒の前記左および右棒部の上端面にそれぞれ固定されており、前記操作棒取付部の上面が、前記連結棒の前記中央棒部に固定されていてもよい。
前記共用操作棒が、棒部（５ａ）と、該棒部の上端に取り付けられた挿入部（５ｂ）と、該の挿入部の外周面に突設された突起（５ｃ）とを備えてもよい。
前記共用操作棒の前記挿入部を挿入するための挿入穴が、前記操作棒取付部に形成されており、前記共用操作棒の前記突起を引っ掛けて該共用操作棒を前記操作棒取付部に取り付けるためのＴ字状の切欠き（１３ａ）が、該操作棒取付部の周面に形成されていてもよい。
【発明の効果】
【００１１】
本発明の高圧引下線縁線支持具は、以下に示す効果を奏する。
（１）高圧引下線縁線切断・接続作業時に共用操作棒を操作して切断箇所を挟んだ両側で高圧引下線縁線を縁線把持手段で把持させることができるため、経験によらずかつ１人の作業者でも事故停電などを発生させずに高圧引下線縁線切断・接続作業を行うことができる。
（２）作業者の技能の差による作業時間の違いを少なくすることができるため、お客さまと約束した時間内に停電作業を終えることができる。
（３）切断した高圧引下線縁線を一定の位置に固定することができるため、停電作業終了後の高圧引下線縁線接続作業を容易に行うことができる。
（４）高圧引下線縁線切断作業から停電作業に移行するときに、充電部（高圧配電線側の切断された高圧引下線縁線）を安定した状態で固定することができるため、事故停電の発生および作業員の感電を防止することができる。
【図面の簡単な説明】
【００１２】
【図１】本発明の一実施例による高圧引下線縁線支持具１０の構成を示す正面図である。
【図２】図１に示した第１の縁線把持部１１1の構成および機能について説明するための横断面図である。
【図３】図１に示した操作棒取付部１３の構成について説明するための正面図である。
【図４】図１に示した高圧引下線縁線支持具１０を用いた高圧引下線縁線切断・接続作業方法について説明するための図である。
【図５】図１に示した高圧引下線縁線支持具１０を用いた高圧引下線縁線切断・接続作業方法について説明するための図である。
【図６】図２（ａ）〜（ｃ）に示した第１の縁線把持部１１1の変形例について説明するための図であり、（ａ）および（ｂ）は第１の変形例による第１の縁線把持部２１1の構成および機能について説明するための図であり、（ｃ）および（ｄ）は第２の変形例による第１の縁線把持部３１1の構成および機能について説明するための図である。
【図７】間接活線工法による高圧引下線縁線切断・接続作業について説明するための図である。
【発明を実施するための形態】
【００１３】
上記の目的を、高圧引下線縁線切断・接続作業時に共用操作棒を共用操作棒取付手段に取り付けて、共用操作棒を操作して切断箇所を挟んだ両側で高圧引下線縁線を縁線把持手段で把持させる構成とすることにより実現した。
【実施例１】
【００１４】
以下、本発明の高圧引下線縁線支持具の実施例について図面を参照して説明する。
本発明の一実施例による高圧引下線縁線支持具１０（以下、「縁線支持具１０」と称する）は、図１に示すように、第１および第２の縁線把持部１１1，１１2と、左右上端に第１および第２の縁線把持部１１1，１１2がそれぞれ固定された連結棒１２と、連結棒１２の中央部に固定された円柱状の操作棒取付部１３とを具備する。
第１および第２の縁線把持部１１1，１１2と連結棒１２と操作棒取付部１３とは、絶縁性の材料から構成されている。
【００１５】
ここで、第１の縁線把持部１１1は、図２（ａ）〜（ｃ）に示すように、高圧引下線縁線２（図７参照）を手前斜め下（図２（ａ）〜（ｃ）の右斜め下）から挿入するための開口部が形成された円筒状の第１の本体１１ａ1と、第１の本体１１ａ1の開口部の上端側の端部に形成されたスライド孔に沿ってスライド可能に取り付けられた円弧板状の第１のロック蓋１１ｂ1と、第１のロック蓋１１ｂ1の上面の中央部に突設された第１のつまみ１１ｃ1とを備える。
第１の本体１１ａ1の開口部の上端側の端部の上面には、図１に示すように、第１のつまみ１１ｃ1をスライド孔に沿ってスライド可能とするために、直線状の切欠きが第１の本体１１ａ1の周方向に沿って形成されている。
これにより、第１のつまみ１１ｃ1を引掛けるためのフックが先端に取り付けられた共用操作棒（ホットスティック）を用いて第１のつまみ１１ｃ1を第１の本体１１ａ1のスライド孔に沿って引き下げることにより、図２（ａ）〜（ｃ）に示すように第１のロック蓋１１ｂ1によって第１の本体１１ａ1の開口部を蓋して、第１の本体１１ａ1に挿入された高圧引下線縁線２が脱落したり落下したりすることを防止することができる。
なお、第１のロック蓋１１ｂ1の上端部には、第１のつまみ１１ｃ1をスライド孔に沿って引き下げた際に第１のロック蓋１１ｂ1が第１の本体１１ａ1のスライド孔から落下しないようにするためのストッパ（不図示）が取り付けられている。また、第１のロック蓋１１ｂ1の上下面は、共用操作棒を用いて第１のつまみ１１ｃ1を引き下げたり引き上げたりしない限り第１のロック蓋１１ｂ1がスライドしない摩擦力で第１の本体１１ａ1のスライド孔の上下面とそれぞれ接触している。
【００１６】
第２の縁線把持部１１2は、第１の縁線把持部１１1と同様に構成されている。
【００１７】
連結棒１２は、中央部が直線状とされたＶ字状の形状を有し、長さが１０ｃｍ程度の中央棒部１２Ｃと、中央棒部１２Ｃの両端から上方に向かって所定の角度（好ましくは、第１および第２の縁線把持部１１1，１１2の間隔が３０ｃｍ程度となる角度）でそれぞれ拡開された長さが３０ｃｍ程度の左および右棒部１２Ｌ，１２Ｒとから構成されている。
第１および第２の縁線把持部１１1，１１2は、第１および第２の本体１１ａ1，１１ａ2の下面が連結棒１２の左および右棒部１２Ｌ，１２Ｒの上端面にそれぞれ固定されることにより、連結棒１２の左右上端面にそれぞれ固定されている。
操作棒取付部１３は、上面が中央棒部１２Ｃに固定されることにより、連結棒１２の中央部に固定されている。
【００１８】
操作棒取付部１３は、図３（ａ）に示すように、円柱状の棒部５ａの上端に円柱状の挿入部５ｂが取り付けられた共用操作棒５の挿入部５ｂを下面側から挿入するための挿入穴が形成されているとともに、共用操作棒５の挿入部５ｂの外周面に突設された矩形棒状の突起５ｃを引っ掛けて共用操作棒５を操作棒取付部１３に取り付けるためのＴ字状の切欠き１３ａが周面に形成されている。
これにより、図３（ｂ）に矢印で示すように突起５ｃが操作棒取付部１３の切欠き１３ａの縦線部を通って切欠き１３ａの横線部に当接するまで共用操作棒５を引き上げたのち、図３（ｃ）に矢印で示すように突起５ｃが操作棒取付部１３の切欠き１３ａの横線部の同図図示右端に当接するまで共用操作棒５を左回りに回すことにより、共用操作棒５に縁線支持具１０を取り付けることができるとともに共用操作棒５から手を離しても共用操作棒５が縁線支持具１０から落下しないようにすることができる。
【００１９】
次に、本実施例による縁線支持具１０を用いた高圧引下線縁線切断・接続作業方法について、図４および図５を参照して説明する。
作業員は、所定の作業準備、電柱点検、昇柱・検電、無負荷操作、無充電警報器取付および防具取付の各作業を行ったのち、縁線支持具１０が取り付けられた共用操作棒５を第１および第２の縁線把持部１１1，１１2が高圧引下線縁線２の切断箇所を挟んだ両側の上方にそれぞれ位置するまで引き上げる。
【００２０】
その後、作業員は、高圧引下線縁線２が第１および第２の縁線把持部１１1，１１2の第１および第２の本体１１ａ1，１１ａ2の開口部を通るように共用操作棒５を引き下げることにより、図４（ａ）に示すように第１および第２の縁線把持部１１1，１１2を高圧引下線縁線２に引っ掛ける。
【００２１】
その後、作業員は、同図（ｂ）に矢印で示すように共用操作棒５を引き下げて第１および第２の縁線把持部１１1，１１2間の高圧引下線縁線２をまっすぐ（直線状）にしたのち、フックが先端に取り付けられた共用操作棒を用いて同図（ｃ）に矢印で示すように第１のつまみ１１ｃ1を引き下げて第１のロック蓋１１ｂ1によって第１の本体１１ａ1の開口部を蓋するとともに第２のつまみ１１ｃ2を引き下げて第２のロック蓋１１ｂ2によって第２の本体１１ａ2の開口部を蓋する。
【００２２】
その後、作業員は、高圧引下線縁線２を間接活線用カッター（ＰＤカッター）で切断したのち、切断した高圧引下線縁線２が互いに接触しないように、同図（ｄ）に示すように切断した高圧引下線縁線２を上斜め方向に折り曲げる。
【００２３】
その後、作業員は、図５（ａ）に示すように、切断した高圧引下線縁線２の先端部に絶縁性の第１および第２の端末キャップ６1，６2を取り付けて、停電状態を安定的なものとする。
【００２４】
その後、作業員は、縁線支持具１０から共用操作棒５を取り外し、同様の手順で他の２本の高圧引下線縁線２の切断作業を行ったのち、停電作業（たとえば、変圧器４の取替作業）を行う。
なお、停電作業は、共用操作棒５から縁線支持具１０を取り外した状態で行う。
【００２５】
停電作業が終了すると、作業員は、切断した高圧引下線縁線２の非充電側（第２の縁線把持部１１2側）の高圧引下線縁線２を切断時の位置まで戻し、この高圧引下線縁線２の先端部に取り付けた第２の端末キャップ６2を取り外し、この高圧引下線縁線２の先端部の皮剥ぎをしたのち、図５（ｂ）に示すようにこの高圧引下線縁線２にスリーブ７を通して取り付ける。
【００２６】
その後、作業員は、切断した高圧引下線縁線２の充電側（第１の縁線把持部１１1側）の高圧引下線縁線２を切断時の位置まで戻し、この高圧引下線縁線２の先端部に取り付けた第１の端末キャップ６1を取り外し、この高圧引下線縁線２の先端部の皮剥ぎをし、図５（ｃ）に示すように非充電側の高圧引下線縁線２に取り付けたスリーブ７を用いて切断した高圧引下線縁線２を接続したのち、高圧引下線縁線２の接続箇所のカバー取付を行う。
【００２７】
その後、作業員は、同様の手順で他の２本の高圧引下線縁線２について接続作業を行ったのち、上述した縁線支持具１０の高圧引下線縁線２への取付手順と逆の手順で縁線支持具１０を高圧引下線縁線２から取り外して元の状態に復帰させて、すべての作業を終了する。
【００２８】
以上述べたように、本実施例による縁線支持具１０を用いることにより、１人の作業者で高圧引下線縁線切断・接続作業を確実に行うことができる。
また、高圧引下線縁線切断・接続作業中に充電した高圧引下線縁線２が風に揺られて他物に接触することを防止できるため、事故停電を発生させたり作業者が感電したりすることを防止することができる。
【００２９】
以上の説明では、縁線把持部として図２（ａ）〜（ｃ）に示した第１の縁線把持部１１1のように第１の本体１１ａ1の内径が高圧引下線縁線２の径よりも大きいものを使用したが、図６（ａ），（ｂ）に示す第１の縁線把持部２１1のように第１の本体２１ａ1の内径が高圧引下線縁線２の径と略同じものを使用してもよい。
この場合には、高圧引下線縁線２を手前横から通すために第１の本体２１ａ1の右側の略半分を開口部にするとともに、第１のロック蓋２１ｂ1は、高圧引下線縁線２を確実に把持するために、第１のつまみ２１ｃ1を引き下げたときに先端が高圧引下線縁線２に少しだけ食い込むようにされている。そのため、スライド孔は、図６（ｂ）に示すように、第１の本体２１ａ1の開口部の上端側の端部が第１の本体２１ａ1の内面側に位置するとともに逆側が第１の本体２１ａ1の外面側に位置するように形成されている。
第２の縁線把持部１１2についても同様である。
【００３０】
また、図２（ａ）〜（ｃ）に示した第１の縁線把持部１１1の代わりに、図６（ｃ），（ｄ）に示す第１の縁線把持部３１1のように上下開閉式の第１のロック蓋３１ｂ1を有するものを使用してもよい。
第１の縁線把持部３１1では、第１のロック蓋３１ｂ1は、第１の本体３１ａ1と同じ内径および外径の円弧板状のものであり、末端部が第１の蝶番３１ｄ1を介して第１の本体２１ａ1の上端部に取り付けられている。また、図６（ｃ）に示すように第１のロック蓋３１ｂ1を閉じたときに高圧引下線縁線２を確実に把持するために、２本の第１のバネ３１ｅ1（引張バネ）の一端を第１の本体２１ａ1の上端部の両端面にそれぞれ固定するとともに、２本の第１のバネ３１ｅ1の他端を第１のロック蓋３１ｂ1の末端部の両端面にそれぞれ固定して、第１のロック蓋３１ｂ1を閉じたときに第１のロック蓋３１ｂ1の末端部が２本の第１のバネ３１ｅ1によって第１の本体２１ａ1の上端部に向かって付勢されるようにされている。
第２の縁線把持部１１2についても同様である。
【符号の説明】
【００３１】
１  高圧配電線
２  高圧引下線縁線
３  上部支持碍子
４  変圧器
５  共用操作棒
５ａ  棒部
５ｂ  挿入部
５ｃ  突起
６1，６2  第１および第２の端末キャップ
７  スリーブ
１０  縁線支持具
１１1，１１2  第１および第２の縁線把持部
１１ａ1，１１ａ2  第１および第２の本体
１１ｂ1，１１ｂ2  第１および第２のロック蓋
１１ｃ1，１１ｃ2  第１および第２のつまみ
１２  連結棒
１２Ｃ  中央棒部
１２Ｌ，１２Ｒ  左および右棒部
１３  操作棒取付部
１３ａ  切欠き
２１1，３１1  第１の縁線把持部
２１ａ1，３１ａ1  第１の本体
２１ｂ1，３１ｂ1  第１のロック蓋
２１ｃ1，３１ｃ1  第１のつまみ
３１ｄ1  第１の蝶番
３１ｅ1  第１のバネ
【要約】
【課題】経験によらずかつ１人の作業者でも高圧引下線縁線切断・接続作業を確実に行うことができる高圧引下線縁線支持具を提供する。
【解決手段】縁線支持具１０は、高圧引下線縁線切断・接続作業時に切断箇所を挟んだ両側で高圧引下線縁線２を把持するための第１および第２の縁線把持部１１1，１１2と、高圧引下線縁線切断・接続作業時に共用操作棒５を取り付けて共用操作棒５の操作により第１および第２の縁線把持部１１1，１１2に高圧引下線縁線２を把持させるための共用操作棒取付部１３と、共用操作棒取付部１３が中央部に固定されているとともに、共用操作棒取付部１３よりも上方に位置するように第１および第２の縁線把持部１１1，１１2が左右上端にそれぞれ固定された連結棒１２とを具備する。
【選択図】図１【図１】
0005524318.tif 000002
【図２】
0005524318.tif 000003
【図３】
0005524318.tif 000004
【図４】
0005524318.tif 000005
【図５】
0005524318.tif 000006
【図６】
0005524318.tif 000007
【図７】
0005524318.tif 000008